(57)【特許請求の範囲】
【請求項１】
天井側に収納される一方、繰り出されて建築物の内部空間を間仕切りする鋼板製の防火シャッタであって、前記防火シャッタに開口部を形成して、該開口部に耐火性の布材からなる避難用の扉を設け、かつ該扉の開閉側縁部に、該扉を閉じた際に該縁部を前記防火シャッタに開閉可能に密着するように封止する磁性部材からなる封止手段を備えたことを特徴とする耐火布製避難扉付き防火シャッタ。
【請求項２】
前記磁性部材は、多数の磁石片から構成されることを特徴とする請求項１に記載の耐火布製避難扉付き防火シャッタ。
【請求項３】
前記磁性部材は、帯状で可撓性を有することを特徴とする請求項１又は２のいずれかに記載の耐火布製避難扉付き防火シャッタ。
【発明の詳細な説明】
【０００１】
【発明の属する技術分野】
本発明は、建築物の内部空間を間仕切りして防火区画を作り出す防火シャッタに関し、とりわけ、鋼板製の防火シャッタに避難用の耐火布製の避難扉を設けるようにした耐火布製避難扉付き防火シャッタに関する。
【０００２】
【従来の技術】
ビル等の建築物では、火災時の延焼や類焼を防止するために、耐火隔壁や防火シャッタなどの防火設備を配備すると共に、迅速な避難を可能とするために、耐火扉や避難通路などを配備している。
【０００３】
建築物内には、図４に示すように、鋼板製の防火シャッタ１を計画的に配備して、火災発生時に繰り出すことにより所定の防火区画を作り出すようにしている。そして、避難通路にあたる防火区画については、側部に方立２を設けて耐火扉３を別途配備し、避難口を確保するようにしている。
【０００４】
また最近では、それら耐火隔壁や防火シャッタなどに代わる新しい防火設備として、不燃性または耐火性に富んだ可撓性の耐火スクリーンを用いた設備装置が提案されている。これは、天井から繰り出されるスクリーン形式の耐火隔壁であって、通常はその可撓性の耐火スクリーンを天井側に巻き取って収納してあり、火災発生時に繰り出すことにより建物の内部空間を間仕切りするようになっている。そしてさらに、避難口として、その耐火スクリーンの一部に、可撓性の扉を設けており、そうした避難扉を備えたものをウォークスルー型耐火スクリーン装置と呼んでいる。
【０００５】
例えば図５に示すように、耐火スクリーン４には、下端縁から上向きにスリット５が形成され、このスリット５の上端から斜め下方に延びる斜辺６に沿って折り曲げ自在な三角形状の幕扉７が備えられている。耐火スクリーン４の下端縁には棒状のウエイト８を取り付け、幕扉７の下端縁部分には独立したウエイト９を取り付け、これらのウエイト８，９により耐火スクリーン４及び幕扉７を垂れ下げた状態で緊張させるようにしている。幕扉７のウエイト９は、斜辺６側の端部をヒンジ１０によりウエイト８と連結し、これにより幕扉７を斜辺６に沿って折り曲げ自在としており、避難時に幕扉７の表面を押すことで斜辺６から裏側へ折り曲げることができ、スリット５に大きな隙間を形成し、この隙間を通じて耐火スクリーン４を通過できるようになっている。
【０００６】
【発明が解決しようとする課題】
しかしながら、かかる従来の防火区画を作り出すための設備にあっては、次のような問題点があった。
【０００７】
耐火扉３は、方立２を設けて配備されるので、火災時等の非常時だけでなく常に建築物内の空間を占めてしまい、利用空間を狭めるため平常時にはじゃまな障害物でしかない。
【０００８】
その点、ウォークスルー型耐火スクリーン装置では、避難扉となる幕扉７部分も含めて耐火スクリーン４全体が天井側に収納されているので、平常時においてじゃまな障害物となることはない。しかしこの場合、耐火スクリーン４とウォークスルーのための幕扉７の両方に剛性がなく、両方が重なっている部分を密着できないので、耐火スクリーン４の前後で圧力差が生じたときに、幕扉７があおられてしまい、気密に劣ることが考えられる。
【０００９】
そこで、本発明はかかる従来の課題に鑑みてなされたものであって、避難扉を防火シャッタに付設することにより、平常時には建築物内の利用空間を占有することがなく、一方火災時等の非常時には防火区画の隔壁をなす防火シャッタと共に出現した避難口の扉がその開閉をスムーズに行えて、かつその密閉性を確保できる耐火布製避難扉付き防火シャッタを提供することを目的とする。
【００１０】
【課題を解決するための手段】
かかる目的を達成するために本発明の請求項１に示す耐火布製避難扉付き防火シャッタは、天井側に収納される一方、繰り出されて建築物の内部空間を間仕切りする鋼板製の防火シャッタであって、前記防火シャッタに開口部を形成して、該開口部に耐火性の布材からなる避難用の扉を設け、かつ該扉の開閉側縁部に、該扉を閉じた際に該縁部を前記防火シャッタに開閉可能に密着するように封止する磁性部材からなる封止手段を備えたことを特徴とする。
請求項２の発明は、請求項１の発明において、前記磁性部材は、多数の磁石片から構成されることを特徴とする。
請求項３の発明は、請求項１又は２の発明において、前記磁性部材は、帯状で可撓性を有することを特徴とする。
【００１１】
以上の構成により請求項１の耐火布製避難扉付き防火シャッタは、平常時は防火シャッタが天井側に収納されており、火災発生時には収納された防火シャッタを繰り出して、建築物の内部空間を間仕切りすることにより火炎や煙を遮断する。一方、避難用の扉を開けることにより、その開口部から防火シャッタを通り抜けすることができる。
【００１２】
この避難用の扉は耐火性の布材から形成されて可撓性があるものの、扉の開閉側縁部を防火シャッタに封止する封止手段が備えられるので、避難用の扉を閉じた際に、その封止手段によって防火シャッタに避難用の扉を密着させることができ、防火シャッタが鋼板製で剛性があるので、従来のウォークスルー型耐火スクリーン装置の幕扉ように圧力差によってあおられることがない。
【００１３】
また、この避難用の扉は耐火性の布材から形成されているので透光性もあり、避難経路を識別しやい。
【００１４】
また、防火シャッタ自体に避難用の扉が付設されているので、平常時には避難用の扉も防火シャッタと共に巻き取られて天井側に収納されてしまい、このため建築物内の利用空間を占有しない。
【００１５】
【発明の実施の形態】
以下、本発明の耐火布製避難扉付き防火シャッタの実施形態を添付図面に基づいて説明する。即ち、図１から図３は本発明の一実施形態を示し、図１は耐火布製避難扉付き防火シャッタの正面図、図２は避難扉部分の拡大正面図、図３はその一適用例を示すエスカレータ部分の平面図である。
【００１６】
この耐火布製避難扉付き防火シャッタ１１は、鋼板製の防火シャッタ１２を備えて構成され、この防火シャッタ１２は天井側に設けられた巻き取り軸に巻き取り収納されている。防火シャッタ１２は、鋼板材を所定の幅で細長く帯状に加工した帯板片１３を一つの単位にして、多数の帯板片１３を巻き取り自在に連結して形成され、金属製であるため不燃性・耐火性があり、使用時には巻き取り軸から繰り出され、建築物の内部空間を間仕切りして防火区画をなす隔壁となり、火炎や煙を遮断する。
【００１７】
防火シャッタ１２には適宜位置に避難口１４が形成され、この防火シャッタ１２で建築物の内部空間を間仕切りした状態で、その避難口１４から防火シャッタ１２を通過できるようになっている。
【００１８】
避難口１４は、防火シャッタ１２を略矩形状に切除することにより形成され、この避難口１４には、耐火布製の避難扉１５が設けられている。
【００１９】
避難扉１５は、ガラス繊維の織布やシリカクロスなどの不燃性あるいは耐火性に富んだ布製の素材から形成され、火炎または煙を遮断する機能を有している。避難扉１５の下端部には、棒状のウエイト１６が水平に取り付けられている。この避難扉１５は、防火シャッタ１２との連結側となる一方の側縁部と上縁部とが防火シャッタ１２の避難口１４に密着状態で取り付けられ、またウエイト１６の端部がヒンジ１７により防火シャッタ１２に取り付けられ、これにより開閉自在となっている。
【００２０】
避難扉１５の開閉側の縁部は、避難口１４となる防火シャッタ１２の対向する縁部と、図１および図２中で手前側から重ね合わされ、避難扉１５は図中手前側に引き開けられるようになっている。避難扉１５の開閉側の縁部には、帯状で可撓性を有する磁性部材１８が取り付けられている。磁性部材１８は避難扉１５を閉じた際に、防火シャッタ１２側に密着するようになっており、当該開閉側縁部を防火シャッタ１２に開閉可能に封止する封止手段となっている。磁性部材１８の可撓性は、防火シャッタ１２と共に巻き取られる避難扉１５の折れ曲がりに支障のない程度の可撓性とされる。
【００２１】
さらに、ウエイト１６の開閉側の端部には、連係金具１９を取り付けても良い。この連係金具１９は避難扉１５を閉じたときに、防火シャッタ１２側の対向部分に設けた受け金具２０と連結される。そしてこの連係金具１９とその受け金具２０との連結は、避難扉１５の開閉側を手前に引くだけで容易に開放できるようになっている。本実施形態では、避難扉１５の開閉は図２に示すように手前に引き開ける設定としたが、設定を逆にして、つまり防火シャッタ１２の縁部に対する避難扉１５の開閉側縁部の重ね合わせを逆にして、避難扉１５を押し開くように構成してもよい。
【００２２】
上記磁性部材１８としては、多数の磁石片を、避難扉１５の開閉側の縁部に帯状に取り付けて構成してもよい。この場合、磁石片の縁部への取り付けピッチは、防火シャッタ１２の巻き取りに応じて折れ曲がり動作する帯板片１３の幅と同ピッチにするとよい。
【００２３】
以上の構成により本実施形態の耐火布製避難扉付き防火シャッタ１１は、平常時は防火シャッタ１２が天井側に設けた巻き取り軸に巻き取り収納されており、火災発生時には収納された防火シャッタ１２を繰り出して、建築物の内部空間を間仕切りすることにより火炎や煙を遮断する。
【００２４】
そして、避難する際には、防火シャッタ１２に設けた避難扉１５を手前に引いて、その避難口１４から防火シャッタ１２を通り抜けすることができる。つまり、図１中で避難扉１５の右側縁部を手前に引くことにより、避難扉１５は図２に示すようにヒンジ１７により開けることができる。このとき、避難扉１５は耐火性の布材から形成されているので可撓性があって、布材自体はいわゆる腰がないが、一方の側縁部と上縁部が防火シャッタ１２側に接合され、下端部および開閉側縁部に剛性を有したウエイト１６および磁性部材１８が取り付けられているので、これらウエイト１６および磁性部材１８によって避難扉１５の剛性を高めることができ、これにより避難扉１５を開けようとする力を扉全体に作用させて開閉をスムーズに行うことができる。
【００２５】
さらに、避難扉１５の開閉側の縁部に帯状で可撓性を有する磁性部材１８が取り付けられているので、耐火布製の避難扉１５を閉じた際に、その磁性部材１８によって防火シャッタ１２側に避難扉１５を密着させることができ、防火シャッタ１２が鋼板製で剛性があるので、従来のウォークスルー型耐火スクリーン装置の幕扉のように圧力差によってあおられることがなく、気密を保つことができる。
【００２６】
そして、防火シャッタ１２を略矩形状に切除することにより形成した避難口１４に、耐火布製の避難扉１５が付設されているので、平常時には避難扉１５が防火シャッタ１２と共に巻き取られて天井側に収納されてしまい、このため建築物内の利用空間を占有することがなく、建築設計の自由度が増して好ましい。
【００２７】
また、この避難扉１５は耐火性の布材から形成されているので、防火シャッタ１２の中でこの部分だけが透光性があり、避難経路を識別しやい。
【００２８】
他方、本発明の耐火布製避難扉付き防火シャッタ１１は、既に設置されている防火シャッタに適用することができる。例えば、デパート等の建築物において、エスカレータを設置した部分の防火区画に適用することができる。つまり、エスカレータ設置部分には、図３に示すように、耐火扉３及び防火シャッタ１が上り下り二本のエスカレータ２１，２２を囲むように配設されており、耐火扉３は、それの方立２が通行の妨げとなるので、エスカレータ２１，２２の搬送方向の正面は避けて側方に配置されることが多い。そこで、エスカレータ２１，２２の搬送方向の正面に位置する防火シャッタ１を、本発明の耐火布製避難扉付き防火シャッタ１１に変更し、このとき耐火布製の避難扉１５を、上りのエスカレータ２１に対面させる。あるいは下りのエスカレータ２２に避難扉１５を対面させてもよい。これにより、上りのエスカレータ２１の正面にも避難口１４ができるので、急ぎ移動中の避難者が目をそらさずに自然に避難扉１５を確認することができ、避難口１４を容易に発見できるので安全性を高めることができる。エスカレータ２１，２２の搬送方向の正面に位置する防火シャッタ１を改造加工することにより、本発明の耐火布製避難扉付き防火シャッタ１１を構成してもよい。この改造加工は、既設の防火シャッタ１の下端部を略矩形状に切除して避難口１４を形成し、この避難口１４に、耐火布製の避難扉１５を取り付けることにより完了し、加工が容易であり、既設の防火シャッタ１を再利用できるのでコストを低減できて好ましい。
【００２９】
【発明の効果】
以上説明したように本発明の耐火布製避難扉付き防火シャッタは、次に示すような優れた効果を奏する。
【００３０】
請求項１の耐火布製避難扉付き防火シャッタは、防火シャッタに耐火性の布材からなる避難用の扉が設けられているので、平常時には避難用の扉が防火シャッタと共に天井側に収納されてしまい、このため建築物内の利用空間を占有することがなく、建築設計の自由度が増して好ましい。
【００３１】
この避難用の扉は耐火性の布材から形成されて可撓性があるものの、扉の開閉側縁部を防火シャッタに開閉可能に封止する封止手段が備えられるので、避難用の扉を閉じた際に、その磁性部材からなる封止手段によって防火シャッタに避難用の扉を密着させることができ、防火シャッタが鋼板製で剛性があるので、従来のウォークスルー型耐火スクリーン装置の幕扉ように圧力差によってあおられることがなく、気密を保つことができる。
【００３２】
また、この避難用の扉は耐火性の布材から形成されているので透光性もあり、避難経路を識別しやい。
【図面の簡単な説明】
【図１】本発明の一実施形態を示す耐火布製避難扉付き防火シャッタの正面図である。
【図２】図１の避難扉部分の拡大正面図である。
【図３】本発明にかかる耐火布製避難扉付き防火シャッタの一適用例を示すエスカレータ部分の平面図である。
【図４】従来の防火シャッタの正面図である。
【図５】従来のウォークスルー型耐火スクリーン装置の正面図である。
【符号の説明】
１２  防火シャッタ
１５  避難扉
１８  磁性部材
【図１】
0003622507.tif 000002
【図２】
0003622507.tif 000003
【図３】
0003622507.tif 000004
【図４】
0003622507.tif 000005
【図５】
0003622507.tif 000006